(57)【要約】【課題】自機が属する通信システムの音量設定に関する情報量のみを予め記憶させておくだけで、他の通信システムの携帯電話機との通話時にも最適な音量にすることを可能にする。【解決手段】音量データ記憶部に自機の通信システムの音量情報を予め格納しておき、最適音量制御手段により、発呼の場合には音量データ記憶部に格納された音量情報を相手機に対して送信し、一方、着呼の場合には受信した相手機の通信システムの音量情報と音量データ記憶部の自機の通信システムの音量情報に基づいて音量情報を最適化し、最適化された音量情報に基づいて音量調整手段による音量を調整設定する。【選択図】図１
2008306577.tif 000002
【特許請求の範囲】
【請求項１】
受話および送話音量を調整する音量調整手段を備え、携帯電話の異なる通信システムで使用可能な携帯電話機において、
自機の通信システムの音量情報を予め格納する音量データ記憶部と、
発呼の場合には前記音量データ記憶部に格納された音量情報を相手機に対して送信し、一方、着呼の場合には受信した相手機の通信システムの音量情報と前記音量データ記憶部の自機の通信システムの音量情報に基づいて音量情報を最適化し、最適化された音量情報に基づいて前記音量調整手段による音量を調整設定する最適音量制御手段を備えたことを特徴とする携帯電話機。
【請求項２】
最適音量制御手段は、自機の通信システムの音量情報を発呼時に自局番号に付加して送信することを特徴とする請求項１記載の携帯電話機。
【請求項３】
最適音量制御手段は、自機の通信システムの音量情報を、発呼の場合の通信回線接続後に自機の送話音声データに付加して送信することを特徴とする請求項１記載の携帯電話機。
【請求項４】
最適音量制御手段は、自機の通信システムの音量情報を、着呼の場合の通信回線接続後にも自機の送話音声データに付加して送信することを特徴とする請求項３記載の携帯電話機。
【請求項５】
最適音量制御手段は、発呼の場合の通信回線接続後においても受話音声データに付加されている相手機の通信システムの音量情報を取得して最適化することにより音量を調整設定することを特徴とする請求項４記載の携帯電話機。
【請求項６】
音量情報の最適化は、相手機の通信システムの音量情報と自機の通信システムの音量情報の中から予め決められた優先順位に基づいて優先度の高い方を選択する処理としたことを特徴とする請求項１から請求項５のうちのいずれか１項記載の携帯電話機。
【請求項７】
音量情報の最適化は、相手機の通信システムの音量情報と自機の通信システムの音量情報とを平均化する処理としたことを特徴とする請求項１から請求項５のうちのいずれか１項記載の携帯電話機。
【請求項８】
受話および送話音量を調整する音量調整手段を備えた携帯電話機において、
自機の通信システムの通話形態別の標準音量情報を予め格納する音量データ記憶部と、
発呼または着呼の場合の自局番号の確認の際に、自機の現在の通話形態を基地局に送信し、当該基地局の通信システム上のハードウェアに設けられた標準音量情報テーブルに予め格納した当該通信システムに適した通話形態別の標準音量情報から前記現在の通話形態に対応する標準音量情報を取得し、取得した通話形態の標準音量情報と前記音量データ記憶部の自機の通信システムの現在の通話形態の標準音量情報に基づいて音量情報を最適化し、最適化された音量情報に基づいて前記音量調整手段による音量を調整設定する最適音量制御手段を備えたことを特徴とする携帯電話機。
【請求項９】
通話形態の音量情報の最適化は、自機の通信システムの通話形態の標準音量情報とこれに対応して取得した基地局の通信システムの通話形態の標準音量情報の中から予め決められた優先順位に基づいて優先度の高い方を選択する処理としたことを特徴とする請求項８記載の携帯電話機。
【請求項１０】
通話形態の音量情報の最適化は、自機の通信システムの通話形態の標準音量情報とこれと対応して取得した基地局の通信システムの通話形態の標準音量情報とを平均化する処理としたことを特徴とする請求項８記載の携帯電話機。
【発明の詳細な説明】
【技術分野】
【０００１】
この発明は、携帯電話の異なる通信システムにおいても使用可能な携帯電話機に関するものである。
【背景技術】
【０００２】
携帯電話の通信システムは、周知のように、日本ではＷ−ＣＤＭＡ(Wideband Code Division Multiple Access)方式であるが、例えば欧州、北米などではＧＳＭ(Global System for Mobile Communications)方式を採用している。そのため、通信システムの異なる国へ渡航した場合に、渡航者が自国で使用している携帯電話機を持っていってその電話機で渡航先の国の通信システムのサービスも受けられるようにする国際ローミングというサービスが適用されている。このように異なる通信システム環境下における携帯電話機の利用状況を図１０に示す。異なる通信システムにＡとＢがあって、通信システムＡのエリア１３内には携帯電話機ＵＥ１とＵＥ２が存在し、通信システムＢのエリア１４内には携帯電話機ＵＥ３とＵＥ４が存在している。この場合、ＵＥ１とＵＥ２は図１１に示す処理フローに従って基地局１１と情報交換を行い、また、ＵＥ３とＵＥ４も同じ処理フローに従って基地局１２と情報交換を行うことにより、それぞれ自機以外の携帯電話機との音声通話が可能となる。
【０００３】
図１１において、携帯電話機は、基地局に対して位置登録要求を送信して（ステップＳＴ１）、基地局から位置登録完了を受信する（ステップＳＴ２）。次に、発呼か着呼を判別し（ステップＳＴ３）、発呼の場合、ステップ４へ移行し基地局へ自局番号を送信し（ステップＳＴ４）、その後、通話回線を接続し（ステップＳＴ６）、携帯電話機内の通話音声パスをオープンに設定し、通話可能となる（ステップＳＴ８）。一方、ステップＳＴ３において着呼の場合、ステップ５へ移行し基地局から相手側番号を受信し（ステップＳＴ５）、その後は発呼時と同様に、通話回線を接続して（ステップＳＴ６）、携帯電話機内の通話音声パスをオープンに設定し、通話可能となる（ステップＳＴ８）。
【０００４】
ところで、音声通話における送話音声レベルや受話音声レベルは通信システムによって異なっている。例えば、ＧＳＭ端末とわが国のＷ−ＣＤＭＡ端末とを比較した場合、送話音声レベルはＧＳＭ端末の方がＷ−ＣＤＭＡ端末より大きく、受話音声レベルはＧＳＭ端末の方がＷ−ＣＤＭＡ端末より小さく設定されている。例えば図１０において、通信システムＡがＧＳＭで通信システムＢがＷ−ＣＤＭＡであり、ＵＥ１、ＵＥ３、ＵＥ４がＷ−ＣＤＭＡ端末で、ＵＥ２がＧＳＭ端末であったとすると、ＵＥ１がＵＥ２と通話を行う場合、在圏（Visitor）のＵＥ１における送受音量の差が大きくなる。また、ＵＥ３からＵＥ２に通話を行う場合も同様であり、通話がしにくくなるという問題がある。さらに、例えばハンドセット通話やハンズフリー通話等の通話形態によっても音量レベルが異なっているという問題がある。そのため、それぞれの通信システムや通話形態に応じて携帯電話機個別に送話音声レベルや受話音声レベルを最適なレベルに調整する必要がある。
【０００５】
従来、同じ通信方式の網の地域エリア毎の基地局や制御局の設備の差に起因してエリア毎にばらつく送信音質または受信音質を改善する技術が提案されてきた（例えば特許文献１、特許文献２参照）。この特許文献１の技術は、移動通信端末において、移動通信網の各地域エリア別に、基地局との通話接続時に最適な送話音質が得られる送話音声信号系の回路特性設定情報を記憶手段に格納しておき、基地局から通知される位置情報に基づいて地域エリアを判別し、当該判別された地域エリアに適合した回路特性設定情報を記憶手段から読み出して送話音声信号系に設定することにより、端末が存在する地域エリアが変わっても常に良好な送（受）話音質が得るようにしたものである。また、特許文献２の技術は、記憶手段に、移動通信網の各地域エリア別に、各々移動通信網設備の受話音声伝送特性の地域エリア間の差を打ち消すように差を設けた所定の受話音量調節値を格納しておき、現在端末が存在している地域エリアに対応した受話音量調節値を読み出して受話音量調節手段に設定するようにしたものである。
【０００６】
【特許文献１】特開２００２−２６１９１１号公報
【特許文献２】特開２００２−２９０５３９号公報
【発明の開示】
【発明が解決しようとする課題】
【０００７】
上述した特許文献１、特許文献２の技術では、基地局ごとに送受話音声レベルの最適化を行うための設定情報を携帯電話機に記憶しておく必要があるが、各地域エリアに配置されている全ての基地局で最適な音量を得るためには、個々のエリアの設定情報を保持しなければならず、そのデータ量と設定管理が膨大となり、携帯電話機の低コスト化や小型化の妨げとなる。また、通信システムの違いに対して考えた場合、同じシステムでも国毎に音量設定も異なる場合があるので、それらの設定情報を全て携帯電話機毎に保持させることは適切ではない。
【０００８】
この発明は、上記のような問題点を解決するためになされたものであり、自機が属する通信システムの音量設定に関する情報量のみを予め記憶させておくだけで、他の通信システムの携帯電話機との通話時にも最適な音量にすることを可能にする携帯電話機を得ることを目的とする。
【課題を解決するための手段】
【０００９】
この発明に係る携帯電話機は、受話および送話音量を調整する音量調整手段を備え、携帯電話の異なる通信システムで使用可能な携帯電話機において、自機の通信システムの音量情報を予め格納する音量データ記憶部と、発呼の場合には音量データ記憶部に格納された音量情報を相手機に対して送信し、一方、着呼の場合には受信した相手機の通信システムの音量情報と前記音量データ記憶部の自機の通信システムの音量情報に基づいて音量情報を最適化し、最適化された音量情報に基づいて音量調整手段による音量を調整設定する最適音量制御手段を備えたものである。
【発明の効果】
【００１０】
携帯電話機は自機の通信システムの音量情報を送信し、相手機の通信システムの音量情報を取得して自機の通信システムの音量情報とで設定する音量を適正化するだけで、他の通信システムの携帯電話機との通話時にも最適な音量に設定できるため、通信システムの違いによる通話の妨げを解消することができる。また、そのための音量データ記憶部には自機の通信システムの音量情報のみを予め記憶させておくだけ済むので、その分、記憶容量を少なくでき、携帯電話機の小型化、低コスト化にも寄与する。
【発明を実施するための最良の形態】
【００１１】
実施の形態１．
図１は、この発明の実施の形態１による携帯電話機の音声処理を主とした基本機能構成を示すブロック図である。
図において、送受信部５は、基地局と通信を行う手段である。表示部２は、携帯電話機の状態や情報を表示する手段である。キー操作部３は、ユーザが携帯電話機に入力を行う手段である。音量データ記憶部４は、携帯電話機が属する通信システム（以下、自機の通信システムと呼ぶことにする。）の音量情報を予め格納する手段である。ここでいう音量情報は、送話音量あるいは受話音量を決めるボリューム設定を行う固定の設定パラメータ（デジタル値）である。音声制御部６は、通話音声パスの制御を行う手段である。受話ボリューム（音量調整手段）７は、音声制御部６から受話レシーバ９へ与えられる受話音声レベルを可変調整する手段である。送話ボリューム（音量調整手段）８は、送話マイク１０から出力される送話音声レベルを可変調整する手段である。
【００１２】
制御部１は、上記各部を制御する手段であるが、この実施の形態１の最適音量制御手段として、音量情報付加部１０１、音量情報取得部１０２、音量情報最適化部１０３および音量情報設定部１０４を備えている。音量情報付加部１０１は、送信部５から送信する自局番号に音量データ記憶部４に格納された自機の通信システムの音量情報を読み出して付加する手段である。音量情報取得部１０２は、送受信部５で受信された相手局番号に付加された相手機の通信システムの音量情報を取得する手段である。音量情報最適化部１０３は、取得した相手機の通信システムの音量情報と音量データ記憶部４に格納されている自機の通信システムの音量情報に基づいて最適化した音量情報を得る手段である。音量情報設定部１０４は、通話が開始される前に、音量情報最適化部１０３により最適化された音量情報に基づいて受話ボリューム７および送話ボリューム８による音量を設定する手段である。
【００１３】
次に、携帯電話機の音量設定を含めた通話開始までの処理について図２に示すフローチャートに従って説明する。
送受信部５は、基地局に対して位置登録要求を送信し（ステップＳＴ１１）、基地局から位置登録完了を受信する（ステップＳＴ１２）。次に、発呼する場合（ステップＳＴ１３）、音量情報付加部１０１により音量データ記憶部４から自機の通信システムの音量情報を読み出して自局番号に付加する（ステップＳＴ１４）。次に、自機の通信システムの音量情報が付加された自局番号を基地局に対して送信し（ステップＳＴ１５）、通話回線を接続する（ステップＳＴ１９）。通話回線が接続されると、音声制御部６は、携帯電話機内の通話音声パスをオープンにし（ステップＳＴ２０）、通話が開始できるようになる（ステップＳＴ２１）。
【００１４】
一方、ステップ１３において、着呼の場合、送受信部５が相手局番号を受信すると、音量情報取得部１０２は、その相手局番号に付加された相手機の通信システムの音量情報を取得し音量情報最適化部１０３へ送る（ステップＳＴ１６）。音量情報最適化部１０３では、取得した相手機の通信システムの音量情報と音量データ記憶部４に格納されている自機の通信システムの音量情報を用いて、後述する方法で音量情報の最適化を行う（ステップＳＴ１７）。次に音量情報設定部１０４により、最適化された音量情報を用いて受話ボリューム７および送話ボリューム８による音量を再設定して（ステップＳＴ１８）、通話回線を接続する（ステップＳＴ１９）。通話回線が接続されると、音声制御部６により通話音声パスをオープンにし（ステップＳＴ２０）、通話が開始できるようになる（ステップＳＴ２１）。
【００１５】
上記処理において、発呼側と着呼側の通信システムが同じ場合は、そのシステム用に記憶されている音量情報をそのまま使用すればよいが、通信システムが異なる場合には音量情報の最適化を行う必要である。その場合、音量情報の最適化は、図３（ａ）に示すように、システム毎に予め優先順位を設けておき、お互いの通信システムにおいて優先度の高い方のシステムの音量情報を選択して設定することで成される。例えば、国内Ｗ−ＣＤＭＡ端末では、その通信システムの送話／受話ボリュームの音量情報が音量データ記憶部４に記憶され、また、当初受話ボリューム７および送話ボリューム８に設定されている。この端末がＧＳＭ端末と通話する際に、受信したＧＳＭ端末の音量情報の方が優先度が高い場合には、ＧＳＭ端末の音量情報を採用し、受話ボリューム７および送話ボリューム８に再設定することになる。また、音量情報の最適化の他の方法としては、図３（ａ）に示すように、互いの通信システムの音量情報を平均化処理することでもよい。
【００１６】
以上のように、この実施の形態１によれば、自機の通信システムの音量情報を予め格納する音量データ記憶部４を備え、発呼の場合には音量データ記憶部４に格納された音量情報を発呼時に自局番号に付加して相手機に対し送信し、一方、着呼の場合には受信した相手機の通信システムの音量情報と音量データ記憶部４の自機の通信システムの音量情報に基づいて音量情報を最適化し、最適化された音量情報に基づいて受話ボリューム７および送話ボリューム８による音量を調整設定するようにしている。したがって、携帯電話機は自機の通信システムの音量情報を送信し、相手機の通信システムの音量情報を取得して自機の通信システムの音量情報とで設定する音量を適正化するだけで、他の通信システムの携帯電話機との通話時にも最適な音量に設定できるため、通信システムの違いによる通話の妨げを解消することができる。また、そのための音量データ記憶部４には、自機の通信システムの音量情報のみを予め記憶させておくだけ済むので、その分、記憶容量を少なくでき、携帯電話機の小型化、低コスト化にも寄与する。
【００１７】
実施の形態２．
図４は、この発明の実施の形態２による携帯電話機の音声処理を主とした基本機能構成を示すブロック図である。図において、図１に相当する部分には同一符号を付して示す。この実施の形態２では、音声制御部６が音量情報付加部６０１および音量情報取得部６０２を備えており、自機の通信システムの音量情報を送信する音声信号に付加することで、互い通信システムの音量情報を交換するようにしている。この場合、音量情報付加部６０１、音量情報取得部６０２、音量情報最適化部１０３および音量情報設定部１０４が、この発明の最適音量制御手段を構成する。
【００１８】
この実施の形態２の携帯電話機の音量設定を含めた通話開始までの処理を図５に示す。この実施の形態２の場合、発呼、着呼を経て通話回線接続（ステップＳＴ３６）となるまでは、図１１で説明した従来の処理（ステップＳＴ１〜ＳＴ６）と同じである。通話回線が接続されると、発呼、着呼いずれの場合にも、音量情報付加部６０１により送話音声データに自機の通信システムの音量情報を付加して相手機に送信し（ステップＳＴ３７）、一方、音量情報取得部６０２により、相手機から受信した受話音声データに付加された相手機の通信システムの音量情報を取得する（ステップＳＴ３８）。次に、取得した相手機の通信システムの音量情報については、音量情報最適化部１０３により、実施の形態１と同様にして最適化を行い（ステップＳＴ３９）、音量情報設定部１０４により、最適化された音量情報を用いて受話ボリューム７および送話ボリューム８による音量を再設定し（ステップＳＴ４０）、音声制御部６により通話音声パスをオープンにし（ステップＳＴ４１）、通話が開始できるようになる（ステップＳＴ４２）。
【００１９】
音声データに音量情報を付加する場合のデータ構成を図６に示す。音量情報は音声信号の一部として送受信され、その間の通話パスクローズしミュート状態にしておく。受話音データに付加された音量情報は音量情報取得部６０２で、例えば音声認識のようなアルゴリズムを用いて解析されることにより抽出される。
【００２０】
以上のようにこの実施の形態２によれば、自機の通信システムの音量情報を、発呼および着呼の場合の通信回線接続後に自機の送話音声データに付加して送信し、発呼および着呼の場合のいずれにおいても、受話音声データに付加されている相手機の通信システムの音量情報を取得して最適化することにより音量を調整設定するようにしている。したがって、実施の形態１と同様な効果を奏する。また、通話回線での送話音声データに音量情報を付加することで音量設定が可能となることから、例えば通話中に相手機の音量を再設定することも可能となる。
【００２１】
実施の形態３．
図７は、この発明の実施の形態３に係る携帯電話機の音量情報提供方法の構成を示すブロック図である。
通信システムＡのエリア１３内において、基地局１１は、例えば在圏のＵＥ１と基地局１１間および交換局１５と基地局１１間における通話回線や制御回線の制御を行う。この実施の形態３の場合、ホームロケーションレジスタ（Home Location Register：以下ＨＬＲとする）１７は、加入者情報データベース１７１に加えて、その通信システムＡに適した標準音量情報テーブル１７２を保持している。この標準音量情報テーブル１７２には、図８に例示すように、通信システムＡに適した通話形態別の標準音量情報Ａ１〜Ａ４が設定されている。また、携帯電話機側の音量データ記憶部（図１の４に相当）にも自機の通信システムの通話形態別の標準音量情報が予め格納されている。例えば使用中の携帯電話機の通話形態がハンドセット通話の場合は、その標準音量情報Ａ１が携帯電話機に与えられ、その通話形態に適した音量設定を行うようにする。
【００２２】
この実施の形態３の携帯電話機の音量設定を含めた通話開始までの処理を図９に示す。
例えば、携帯電話機のＵＥ１から基地局１１に対して位置登録要求を送信すると、基地局１１は交換局１５系由でＨＬＲ１７に対して登録要求を行う（ステップＳＴ４１）。このときＨＬＲ１７からは、加入者情報および標準音量情報が交換局１５にダウンロードされ（ステップＳＴ４２）、通信システムＡのエリア１３内での位置登録が完了する（ステップＳＴ４３）。次に、通信システムＡのエリア１３内に在圏しているＵＥ１が発呼または着呼すると（ステップＳＴ４４）、端末情報（局番号）の確認が行われる際に、ＵＥ１から自機の現在の通話形態（例えばハンドセット通話とする。）を、基地局１１を介して交換局１５に送信する（ステップＳＴ４５）。
【００２３】
これにより、ＵＥ１には、交換局１５からＵＥ１の現在の通話形態（ハンドセット通話）に適した通信システムＡの標準音量情報（ハンドセット通話の場合はＡ１）が送られてくるので、それを取得する（ステップＳＴ４６）。次に、取得した通話形態の標準音量情報とこれに対応する音量データ記憶部４で格納する自機の通信システムの現在の通話形態の標準音量情報とで音量情報の最適化を行い（ステップＳＴ４７）、最適化された通話形態の音量情報に基づいて受話ボリュームおよび送話ボリュームによる音量を調整設定する（ステップＳＴ４８）。次に、通話音声パスをオープンにして（ステップＳＴ４９）、通話が開始可能となる（ステップＳＴ５０）。したがって、通話が開始されたＵＥ１は、自機の通話形態において自機が現在おかれている通話形態の通話状態に適した音量での通話が可能となる。
【００２４】
上記処理において、自機の現在の通話形態を基地局に送信すること、当該基地局の通信システム上のハードウェアに設けられた標準音量情報テーブルに予め格納した当該通信システムに適した通話形態別の標準音量情報から自機の現在の通話形態に対応する標準音量情報を取得すること、取得した通話形態の標準音量情報と音量データ記憶部４の自機の通信システムの現在の通話形態の標準音量情報に基づいて音量情報を最適化すること、および最適化された音量情報に基づいて受話ボリューム７および送話ボリューム８による音量を設定することは、この実施の形態３の発明の最適音量制御手段で行う。また、通話形態の音量情報の最適化は、実施の形態１と同様な処理、すなわち優先度による方法、平均化による方法のいずれかにより行う。
なお、上記例では、ＨＬＲに標準音量情報を保存する場合を想定して説明したが、通信システムの別のハードウェア、例えば、基地局内の記憶装置やネットワーク上に存在するサーバなどに標準音量情報テーブル１７２を保持しておき、そこにアクセスして標準音量情報を読み出すようにしても同様な処理を行うことが可能である。
【００２５】
以上のように、この実施の形態３によれば、携帯電話機が現在使用している自機の通信システムの通話形態情報を送信することにより、自機が存在するエリアの通信システムの対応する通話形態の標準音量情報を、基地局を介して標準音量情報テーブル１７２から取得して、自機の通信システムの現在の通話形態の標準音量情報とで設定する音量を適正化しているので、他の通信システムの携帯電話機との通話時にも最適な音量に設定できるため、通信システムの違いによる通話の妨げを解消することができ、かつ使用している通話形態に適した音量での通話を可能にする。また、そのための音量データ記憶部４には自機の通信システムの通話形態毎の標準音量情報のみを予め記憶させておくだけ済むので、その分、記憶容量は少なくでき、携帯電話機の小型化、低コスト化にも寄与する。
なお、標準音量情報テーブル１７２で保持する通信システムの通話形態の標準音量情報を、エリア単位で適した音量が得られるように個別に設定してもよい。その場合には携帯電話機で行う通話形態の音量情報の最適化は平均化を適用することになる。このことにより、エリア間の音量較差も改善でき、従来技術における携帯電話機で大容量の設定情報を持つという問題点も解消することができる。
【図面の簡単な説明】
【００２６】
【図１】この発明の実施の形態１による携帯電話機の基本機能構成を示すブロック図である。
【図２】この発明の実施の形態１に係る携帯電話機の通話開始までの処理を示すフローチャートである。
【図３】この発明の実施の形態１に係る音量情報の最適化を示すテーブルである。
【図４】この発明の実施の形態２による携帯電話機の基本機能構成を示すブロック図である。
【図５】この発明の実施の形態２に係る携帯電話機の通話開始までの処理を示すフローチャートである。
【図６】この発明の実施の形態２に係る音声データに音量情報を付加する場合のデータ構成を示す説明図である。
【図７】この発明の実施の形態３に係る携帯電話機の音量情報提供方法の構成を示すブロック図である。
【図８】この実施の形態３に係るＨＬＲに設けた標準音量情報データテーブルのデータ構成例を示す説明図である。
【図９】この発明の実施の形態３に係る携帯電話機の通話開始までの処理を示すフローチャートである。
【図１０】異なる通信システム環境下における携帯電話機の利用状況を説明図である。
【図１１】従来の携帯電話機の通話開始までの処理を示すフローチャートである。
【符号の説明】
【００２７】
１  制御部、２  表示部、３  キー操作部、４  音量データ記憶部、５  送受信部、６  音声制御部、７  受話ボリューム、８  送話ボリューム、９  受話レシーバ、１０  送話マイク、１１，１２  基地局、１３  通信システムＡのエリア、１４  通信システムＢのエリア、１５，１６  交換局、１７，１８  ＨＬＲ、１０１，６０１  音量情報付加部、１０２，６０２  音量情報取得部、１０３  音量情報最適化部、１０４  音量情報設定部、１７１  加入者情報データベース、１７２  標準音量情報テーブル。
【図１】
2008306577.tif 000003
【図２】
2008306577.tif 000004
【図３】
2008306577.tif 000005
【図４】
2008306577.tif 000006
【図５】
2008306577.tif 000007
【図６】
2008306577.tif 000008
【図７】
2008306577.tif 000009
【図８】
2008306577.tif 000010
【図９】
2008306577.tif 000011
【図１０】
2008306577.tif 000012
【図１１】
2008306577.tif 000013